(57)【要約】【目的】フィルター枠を形成する部材に関連部品を装着するための雌ネジを切ることが容易となって材料コスト面においてさらに有利となるとともに衝撃吸収機能もそなえ、フィルターレンズを十分に保護することもできるフィルターを提供する。【構成】デジタルカメラ、デジタルビデオカメラなどのレンズ鏡筒の前面に装着されるフィルターで、フィルターレンズとフィルターレンズを保持するフィルター枠をそなえ、フィルター枠はレンズ保持部とレンズ保持部の外方へ延伸する外枠部からなり、レンズ保持部にはレンズ鏡筒に装着するための雄ネジ部が設けられ、外枠部の内周部には関連部品を装着するための雌ネジ部が設けられたものであり、レンズ保持部と外枠部からなるフィルター枠、またはフィルター枠のうち外枠部がロックウエル硬度（ＨＲ）がＲ４０〜Ｒ１３０の合成樹脂で形成されていることを特徴とする。【選択図】図１
2019086584.tif 000002
【特許請求の範囲】
【請求項１】
デジタルカメラ、デジタルビデオカメラなどのレンズ鏡筒の前面に装着されるフィルターで、フィルターレンズとフィルターレンズを保持するフィルター枠をそなえ、フィルター枠はレンズ保持部とレンズ保持部の外方へ延伸する外枠部からなり、レンズ保持部にはレンズ鏡筒に装着するための雄ネジ部が設けられ、外枠部の内周部には関連部品を装着するための雌ネジ部が設けられたものであり、レンズ保持部と外枠部からなるフィルター枠がロックウエル硬度（ＨＲ）がＲ４０〜Ｒ１３０の合成樹脂で一体に形成されていることを特徴とするフィルター。
【請求項２】
デジタルカメラ、デジタルビデオカメラなどのレンズ鏡筒の前面に装着されるフィルターで、フィルターレンズとフィルターレンズを保持するフィルター枠をそなえ、フィルター枠はレンズ保持部とレンズ保持部の外方へ延伸する外枠部からなり、レンズ保持部にはレンズ鏡筒に装着するための雄ネジ部が設けられ、外枠部の内周部には関連部品を装着するための雌ネジ部が設けられたものであり、レンズ保持部と外枠部はそれぞれロックウエル硬度（ＨＲ）がＲ４０〜Ｒ１３０の合成樹脂で別体として構成され、レンズ保持部に外枠部が固着されていることを特徴とするフィルター。  
【請求項３】
前記外枠部の外周部にショアＡ４０〜９０の硬度を有する合成樹脂層が配設されていることを特徴とする請求項１または２に記載のフィルター。
【請求項４】
前記外枠部の外周部に発泡樹脂層が配設されていることを特徴とする請求項１または２に記載のフィルター。
【発明の詳細な説明】
【技術分野】
【０００１】
本発明はデジタルカメラ、デジタルビデオカメラなどのレンズ鏡筒の前面に装着されるフィルターに関する。
【背景技術】
【０００２】
従来、デジタルカメラなどにおいては、レンズ前面に汚れやキズが生じるのを防止したり、光透過率を低減する（減光する）などの目的で、レンズ鏡筒の前面にフィルターが装着される。一般に、フィルターは、丸枠フィルターの場合には、円環状のフィルター枠に円板状のフィルターレンズを嵌合、固定して構成され、またはフィルター枠とフィルターレンズを接着剤などで固着一体として構成される。フィルター枠には、通常、内側（裏側）にレンズ鏡筒に装着するための雄ネジ部が形成され、外側（表側）には他の関連部品を装着するための雌ネジ部が形成されている。
【０００３】
フィルターは、フィルターレンズにアルミニウムなどの金属材料を成形加工して製作されたフィルター枠を取り付けて構成されているが、フィルターを装着したカメラを使用中にフィルターを何かにぶつけてレンズを傷めてしまうことがあり、フィルターをぶつけた時の衝撃を吸収してレンズが傷まないようにするために、レンズを保持するフィルター枠の外周部に衝撃緩衝機能を有する柔らかいエラストマーからなる外枠を設けたものや、フィルター枠を高分子弾性体により形成しフィルター枠自体の弾性により衝撃を緩衝するようにしたものが提案されている。
【０００４】
上記提案のものは、カメラの使用中にフィルターレンズを保護するために有効な手法であるが、フィルター枠の外周部に柔らかいエラストマーからなる外枠を設けた場合には、柔らかい外枠に関連部品を装着するための雌ネジを切ることが難しいため、アルミニウムなどからなるフィルター枠を外側（表側）に延伸させ、この金属製のフィルター枠に雌ネジを部を形成しなければならず、金属部分が長くなるため材料コスト面で不利となり、また、フィルター枠を弾性を有する高分子弾性体により形成した場合にも、用いる高分子弾性体によっては、フィルター枠への雌ネジの成形が難しく、さらにフィルター自体の強度が十分でなくフィルターレンズを保護するという点で支障が生じる場合もあって、使用上必ずしも満足すべきものではない。
【先行技術文献】
【特許文献】
【０００５】
【特許文献１】特許第５４５６８７２号公報
【特許文献２】特許第５６１０６４１号公報
【発明の概要】
【発明が解決しようとする課題】
【０００６】
本発明は、フィルター枠を特定の硬度を有する合成樹脂で構成することにより上記の問題を解消できることを見出した結果としてなされたものであり、その目的は、フィルター枠を形成する部材に関連部品を装着するための雌ネジを切ることが容易となって材料コスト面においてさらに有利となるとともに衝撃吸収機能もそなえ、フィルターレンズを十分に保護することもできるフィルターを提供することにある。
【課題を解決するための手段】
【０００７】
上記の目的を達成するための請求項１によるフィルターは、デジタルカメラ、デジタルビデオカメラなどのレンズ鏡筒の前面に装着されるフィルターで、フィルターレンズとフィルターレンズを保持するフィルター枠をそなえ、フィルター枠はレンズ保持部とレンズ保持部の外方へ延伸する外枠部からなり、レンズ保持部にはレンズ鏡筒に装着するための雄ネジ部が設けられ、外枠部の内周部には関連部品を装着するための雌ネジ部が設けられたものであり、レンズ保持部と外枠部からなるフィルター枠がロックウエル硬度（ＨＲ）がＲ４０〜Ｒ１３０の合成樹脂で一体に形成されていることを特徴とする。
【０００８】
請求項２によるフィルターは、デジタルカメラ、デジタルビデオカメラなどのレンズ鏡筒の前面に装着されるフィルターで、フィルターレンズとフィルターレンズを保持するフィルター枠をそなえ、フィルター枠はレンズ保持部とレンズ保持部の外方へ延伸する外枠部からなり、レンズ保持部にはレンズ鏡筒に装着するための雄ネジ部が設けられ、外枠部の内周部には関連部品を装着するための雌ネジ部が設けられたものであり、レンズ保持部と外枠部はそれぞれロックウエル硬度（ＨＲ）がＲ４０〜Ｒ１３０の合成樹脂で別体として構成され、レンズ保持部に外枠部が固着されていることを特徴とする。  
【０００９】
請求項３によるフィルターは、請求項１または２において、前記外枠部の外周部に発泡樹脂層が配設されていることを特徴とする。
【発明の効果】
【００１０】
本発明に従ってフィルター枠を特定の硬度を有する合成樹脂で構成することにより以下の効果が達成される。  
（１）フィルターを装着したレンズの先端部分を何かにぶつけても、フィルターが衝撃を吸収するため、レンズを損傷することがない。
（２）フィルターを装着したレンズの先端部分を他人の器物、例えば、車のドアなどに当てて車を傷つけてしまうような器物損傷事故を防止できる。
（３）フィルターを装着したレンズの先端部分を何か硬いものにぶつけても、レンズに影響を与えることはなくレンズを十分に保護することができる。
（４）関連部品を装着するための雌ネジを切ることが容易となるため、材料コスト面で有利なものとすることができる。
【図面の簡単な説明】
【００１１】
【図１】レンズ保持部と外枠部からなるフィルター枠が一体に形成された本発明によるフィルターの要部断面図である。
【図２】レンズ保持部と外枠部が別体として構成され、レンズ保持部に外枠部が固着されている本発明によるフィルターの要部断面図である。
【発明を実施するための形態】
【００１２】
以下、本発明のフィルターを図面に基づいて説明する。本発明によるフィルターはデジタルカメラ、デジタルビデオカメラなど撮像機器のレンズ鏡筒の前面に装着されるフィルターであり、特に円板状のフィルターレンズが取り付けられる丸枠フィルターにとして好適に使用される。
【００１３】
本発明によるフィルターの実施形態は、図１に示すように、フィルターレンズ２とフィルターレンズ２を保持するフィルター枠１をそなえ、フィルター枠１はレンズ保持部３とレンズ保持部３の外方へ延伸する外枠部４からなり、レンズ保持部３にはレンズ鏡筒に装着するための雄ネジ部７が設けられ、外枠部４の内周部５には関連部品を装着するための雌ネジ部８が設けられたもので、レンズ保持部３と外枠部４は一体に構成されたものである。フィルターレンズ２はレンズ保持部３にリン青銅などから成形されたレンズ押さえばね環９を介して保持されていることが望ましい。
【００１４】
本発明によるフィルターの他の実施形態は、図２に示すように、フィルターレンズ２とフィルターレンズ２を保持するフィルター枠１をそなえ、フィルター枠１はレンズ保持部３とレンズ保持部３の外方へ延伸する外枠部４からなり、レンズ保持部３にはレンズ鏡筒に装着するための雄ネジ部７が設けられ、外枠部４の内周部には関連部品を装着するための雌ネジ部８が設けられたもので、レンズ保持部３と外枠部４は別体として構成され、レンズ保持部３に外枠部４が固着されたものである。９はリン青銅などからなるレンズ押さえばね環である。
【００１５】
本発明の最も特徴とするところは、レンズ保持部３と外枠部４をロックウエル硬度（ＨＲ）がＲ４０〜Ｒ１３０の合成樹脂で構成したことにある。特に外枠部４をロックウエル硬度（ＨＲ）がＲ４０〜Ｒ１３０の合成樹脂で構成することにより、フィルターを何かにぶつけてもレンズを損傷することがない衝撃吸収機能を有するとともに、フィルターを装着したレンズの先端部分を何か硬いものにぶつけても、レンズに影響を与えることはなくレンズを十分に保護することもでき、図１〜２に示すように、外枠部４に関連部品を装着するための雌ネジを切ることができる。
【００１６】
ロックウエル硬度（ＨＲ）は、鋼球などの圧子を特定の荷重で押し込むことにより硬さを測定する手法で、Ｒスケールは、１／２インチの鋼球を６０ｋｇの試験荷重で押し込み、窪みの深さを読み取って求めるものである。
【００１７】
本発明において適用される合成樹脂としては、熱硬化性樹脂、熱可塑性樹脂に代表される合成樹脂が適用され、エンジニアリングプラスチックも含まれる。
【００１８】
硬度が大きくなると衝撃吸収機能が失われ、硬度が小さいとレンズの保護が不十分となり、また外枠部４に関連部品を装着するための雌ネジが切り難くなる。これらの特性を付与するためには、硬度  の上限をロックウエル硬度（ＨＲ）Ｒ１３０、硬度の下限をロックウエル硬度（ＨＲ）Ｒ４０とするのが好ましい。
【００１９】
フィルター枠１および外枠部４は、前記の合成樹脂のペレットを射出成形機でチューブ状に押出成形し、図１に示すようなフィルター枠１および図２に示すような外枠部４の形状に成形加工することにより製造することができる。図２に示す実施形態のものにおいては、成形加工された外枠部４は公知の手法により図２に示すようにレンズ保持枠３に嵌合、固着される。レンズ保持枠３を構成する合成樹脂層と外枠部４を構成する合成樹脂層からなる２層構造のものを射出成形機によりチューブ状に同時押出成形し、図２に示すフィルター枠１の形状に成形加工することもできる。
【００２０】
本発明においては、外枠部４の外周部６にショアＡ４０〜９０の硬度を有する合成樹脂層（図示せず）を配設することが望ましく、フィルターにさらに十分な衝撃吸収機能を持たせることができる。なお、ショアＡの硬度はゴムの硬度表記として用いられるもので、ＪＩＳ規格（ＪＩＳ  Ｋ  ６２５３）デュロメータータイプＡで測定した値である。この値は、規定した条件下で試験片に規定の押針を押し込んだ時の押針の押し込み深さから求められる。ショアＡ４０〜９０の硬度を有する合成樹脂としては、熱硬化性エラストマー、シリコーンなどの熱硬化性樹脂系エラストマーや、熱可塑性エラストマーなどが適用できる。
【００２１】
外枠部４の外周部６に配設される合成樹脂層も射出成形機でチューブ状に押出成形することにより製造され、公知の手法によりフィルター枠１（図１）またはレンズ保持枠３（図２）に嵌合、固着される。フィルター枠１を構成する合成樹脂層と上記の外枠部４の外周部６に配設される合成樹脂層からなる２層構造のもの、レンズ保持枠３を構成する合成樹脂層と外枠部４を構成する合成樹脂層と上記の外枠部４の外周部６に配設される合成樹脂層からなる３層構造のものを射出成形機によりチューブ状に同時押出成形することにより図１、図２のフィルター枠１を製造することもできる。
【００２２】
また、本発明においては、外枠部４の外周部６に発泡樹脂層を配設することによりフィルターに衝撃吸収機能を持たせることもできる。発泡樹脂（発泡プラスチック）とは、合成樹脂中にガスを細かく分散させ、発泡状または多孔質状にしたもので、緩衝性、可撓性に優れている。特に、各気泡が各々個別に封じられている独立気泡型のものは弾性に優れ寸法維持性も高いので、本発明においては独立気泡型の発泡樹脂層を設けるのが望ましい。
【００２３】
合成樹脂としては前記の熱硬化性樹脂、熱可塑性樹脂に代表され、エンジニアリングプラスチックも含む合成樹脂が適用され、発泡方法としては、化学反応を利用し炭酸ガスなどを用いる化学反応ガス活用法、沸点が低い溶剤を用いる低沸点溶剤活用法、空気を混入させる機械的混入法、含有させた溶剤を除去する過程で空隙をつくる溶剤除去法などが適用される。
【００２４】
発泡樹脂層の形成は、射出成形機を用いる射出発泡、押出機を用いる押出発泡により行うのが好ましい。例えば、ペレット状樹脂を溶融し、炭酸ガスなどの不活性ガスを浸透させて射出する方法、発泡性溶融樹脂（発泡剤を混入した樹脂）を金型内に射出して発泡成形品を取り出す方法、発泡性樹脂を押出機で押し出し、ダイスから出た樹脂を発泡させる方法などである。
【００２５】
上記の方法により発泡樹脂の管状体を製造し、発泡樹脂層として公知の手法により外枠部４の外周部６に嵌合、固着する。フィルター枠１を構成する合成樹脂層と上記の発泡樹脂層からなる２層構造のもの、レンズ保持枠３を構成する合成樹脂層と外枠部４を構成する合成樹脂層と上記の発泡樹脂層からなる３層構造のものを射出成形機によりチューブ状に同時押出成形することにより図１、図２のフィルター枠１を製造することもできる。発泡樹脂層の配設は１層でもよく、発泡度を変えた複数層の発泡樹脂層を配設することもできる。
【符号の説明】
【００２６】
１  フィルター枠
２  フィルターレンズ
３  レンズ保持部
４  外枠部
５  外枠部の内周部
６  外枠部の外周部
７  レンズ保持部に形成されたレンズ鏡筒に装着するための雄ネジ部
８  外枠部に形成された他の関連部品を装着するための雌ネジ部
９  レンズ押さえばね環
【図１】
2019086584.tif 000003
【図２】
2019086584.tif 000004